(57)【要約】【課題】部品や製品などの物品を簡便に不活性ガス中に一時保存する。【解決手段】物品を入れる収納袋１は、合成樹脂フイルム製であり、開口部を閉鎖可能にし、管差込部６を設け、管差込部６に差込管１２を挿入すると、差込管１２が袋１内に連通し、差込管１２を抜き取ると、管差込部６が閉鎖する。袋１内の空気を不活性ガスに置換する装置１１は、差込管１２を方向切換弁１４の第１ポート１５に接続し、第２ポート１６に排気装置１７を、第３ポート１８に不活性ガス貯蔵槽１９を接続した。袋１に物品を入れて開口部を閉鎖し、管差込部６に差込管１２を挿入し、方向切換弁１４の第１ポート１５と第２ポート１６を連通して排気装置１７を作動し、袋１内の空気を排出し、次に、方向切換弁の第１ポート１５と第３ポート１８を連通し、不活性ガス貯蔵槽１９から不活性ガスを袋１内に注入する。【選択図】  図２
2004182343.tif 000002
【特許請求の範囲】
【請求項１】
部品や製品などの物品を入れる収納袋と、収納袋内の空気を不活性ガスに置換する置換装置とからなり、
収納袋は、合成樹脂フイルムの表側片と裏側片の周辺部の一部を溶着して袋を形成し、袋の表側片と裏側片の周辺部の非溶着部を、物品を入れる開口部にし、袋の開口部を閉鎖可能にし、袋内の空気を不活性ガスに置換するための管差込部を設け、
管差込部は、合成樹脂フイルムの表側片と裏側片を重ね合せてそれらの両側の辺部を溶着し、表側片と裏側片の間に差込通路を形成し、
収納袋の表側片と裏側片の周辺部の間に管差込部を挿入し、管差込部の差込通路の両端を収納袋の内外に配置し、収納袋の表側片と裏側片の周辺部に、それぞれ、管差込部の表側片と裏側片を溶着し、
管差込部の差込通路に差込管を収納袋の外部から挿入すると、差込管が収納袋の内部に連通し、差込管を管差込部の差込通路から収納袋の外部に抜き取ると、管差込部の差込通路が閉鎖する構成にし、
置換装置は、差込管を方向切換弁の第１ポートに接続し、方向切換弁の第２ポートに排気装置を接続し、方向切換弁の第３ポートに不活性ガス貯蔵槽を接続し、
収納袋に開口部から物品を入れて開口部を閉鎖し、管差込部の差込通路に差込管を挿入し、方向切換弁の第１ポートと第２ポートを連通して排気装置を作動し、物品を入れた収納袋内の空気を排出し、次に、方向切換弁の第１ポートと第３ポートを連通し、不活性ガス貯蔵槽から不活性ガスを収納袋内に注入する構成にしたことを特徴とする物品の保存装置。
【請求項２】
排気装置は、ゴミを空気と一緒に吸い取る真空掃除機であることを特徴とする請求項１に記載の物品の保存装置。
【請求項３】
方向切換弁は、人力操作の三方コックであることを特徴とする請求項１又は２に記載の物品の保存装置。
【請求項４】
収納袋の開口部を閉鎖する手段は、ファスナであることを特徴とする請求項１、２又は３に記載の物品の保存装置。
【請求項５】
収納袋の開口部を閉鎖する手段は、溶着であることを特徴とする請求項１、２又は３に記載の物品の保存装置。
【発明の詳細な説明】
【０００１】
【発明の属する技術分野】
本発明は、空気中で錆びや変色などの変質が生じ易い物品を不活性ガス中に保存する装置に関する。
【０００２】
【従来の技術】
部品製造工場や製品組立工場において、部品や製品は、次の工程で使用する前に、一時的に保管することがある。ところが、金属製又は金属めっきを施した部品や製品は、空気中での保管期間が長くなると、表面に錆びや変色などの変質が生じることがある。
【０００３】
そこで、空気中で変質が生じ易い部品や製品は、特許文献１に開示されているような、雰囲気置換装置を付設した箱型の保管庫に収納して保管庫内の空気を不活性ガスに置換し、不活性ガス中に保存することになる。
【０００４】
【特許文献１】
特開平１０−３２１７１４号公報
【０００５】
【発明が解決しようとする課題】
ところが、上記のような雰囲気置換装置付きの箱型保管庫は、大型で大掛りな装置である。当然、高価である。少量の部品や製品などの物品を簡便に安価に不活性ガス中に一時保存するには適していない。
【０００６】
【課題を解決するための手段】
１）部品や製品などの物品を入れる収納袋と、収納袋内の空気を不活性ガスに置換する置換装置とからなり、
収納袋は、合成樹脂フイルムの表側片と裏側片の周辺部の一部を溶着して袋を形成し、袋の表側片と裏側片の周辺部の非溶着部を、物品を入れる開口部にし、袋の開口部を、ファスナや溶着によって、閉鎖可能にし、袋内の空気を不活性ガスに置換するための管差込部を設け、
管差込部は、合成樹脂フイルムの表側片と裏側片を重ね合せてそれらの両側の辺部を溶着し、表側片と裏側片の間に差込通路を形成し、
収納袋の表側片と裏側片の周辺部の間に管差込部を挿入し、管差込部の差込通路の両端を収納袋の内外に配置し、収納袋の表側片と裏側片の周辺部に、それぞれ、管差込部の表側片と裏側片を溶着し、
管差込部の差込通路に差込管を収納袋の外部から挿入すると、差込管が収納袋の内部に連通し、差込管を管差込部の差込通路から収納袋の外部に抜き取ると、管差込部の差込通路が閉鎖する構成にし、
置換装置は、差込管を、三方コックや３ポート２位置弁のような、方向切換弁の第１ポートに接続し、方向切換弁の第２ポートに、真空掃除機、減圧ポンプや送風機のような、排気装置を接続し、方向切換弁の第３ポートに、窒素ガスタンクやアルゴンガスタンクのような、不活性ガス貯蔵槽を接続し、
収納袋に開口部から物品を入れて開口部を閉鎖し、管差込部の差込通路に差込管を挿入し、方向切換弁の第１ポートと第２ポートを連通して排気装置を作動し、物品を入れた収納袋内の空気を排出し、次に、方向切換弁の第１ポートと第３ポートを連通し、不活性ガス貯蔵槽から不活性ガスを収納袋内に注入する構成にしたことを特徴とする物品の保存装置。
【０００７】
２）上記の物品の保存装置において、
排気装置は、ゴミを空気と一緒に吸い取る真空掃除機であることを特徴とする。
【０００８】
３）上記の物品の保存装置において、
方向切換弁は、人力操作の三方コックであることを特徴とする。
【０００９】
４）上記の物品の保存装置において、
収納袋の開口部を閉鎖する手段は、ファスナ又は溶着であることを特徴とする。
【００１０】
【発明の効果】
本発明の物品の保存装置は、収納袋と置換装置が一体化していない。１台の置換装置は、多数の収納袋に使用される。収納袋は、合成樹脂フイルム製であり、大袋も小袋も簡単に製作することができる上、構造が簡単で安価である。
【００１１】
置換装置は、収納袋内の空気を排出する排気装置に、真空掃除機のような、入手が容易で安価な装置を流用することができる。また、方向切換弁には、人力操作の３ポート２位置弁である三方コックのような、構造が簡単で安価な弁を使用することができる。
【００１２】
部品や製品などの物品を、少量でも多量でも、簡便に安価に不活性ガス中に一時保存することができる。
【００１３】
【発明の実施の形態】
［第１例（図１〜図４参照）］
本例の物品の保存装置は、部品や製品などの物品を入れる扁平四角形状の収納袋１と、収納袋１内の空気を不活性ガスに置換する置換装置１１とからなる。
【００１４】
収納袋１は、透明な合成樹脂フイルム製であり、図１に示すように、四角形状の透明合成樹脂フイルムの表側片２と裏側片３を重ね合わせ、表側片２と裏側片３の周辺部の一部、左辺部と右辺部及び底辺部を溶着して袋を形成している。袋の表側片２と裏側片３の周辺部の非溶着部、上辺部は、物品を入れる開口部４にしている。
【００１５】
収納袋１には、開口部４を気密に閉鎖するファスナ５を設けている。ファスナ５は、弾力のある合成樹脂製の突条部と溝条部を人力で嵌め込んで噛み合わせる形式である。ファスナ５の突条部と溝条部は、それぞれ、裏側片３、表側片２の上辺部内面に左右方向に横断して形成している。
【００１６】
また、収納袋１には、袋内の空気を不活性ガスに置換するための管差込部６を設けている。管差込部６は、透明な合成樹脂フイルム製であり、細長長方形状の透明合成樹脂フイルムの表側片７と裏側片８を重ね合わせ、表側片７と裏側片８の左辺部と右辺部をそれぞれ溶着し、表側片７と裏側片８の間に、左右の溶着辺部に挟まれた扁平短冊形状の差込通路９を形成している。
【００１７】
管差込部６は、収納袋１の表側片２と裏側片３の底辺部の間に挿入し、差込通路９の両端を収納袋１の内外に配置している。収納袋１の表側片２の底辺部と管差込部６の表側片７との重合部分は、溶着している。収納袋１の裏側片３の底辺部と管差込部６の裏側片８との重合部分は、溶着している。この管差込部６は、図２に示すように、差込通路９に円管の差込管１２を収納袋１の外部から挿入すると、差込管１２が差込通路９に貫通して収納袋１の内部に連通する。差込管１２を差込通路９から収納袋１の外部に抜き取ると、差込通路９が閉鎖する。差込通路９は、常時閉鎖型である。
【００１８】
置換装置１１は、図２に示すように、収納袋１の管差込部６に挿入する差込管１２を、湾曲自在なホース１３で方向切換弁１４の第１ポート１５に接続している。方向切換弁１４の第２ポート１６には、湾曲自在な空気管で排気装置１７を接続している。方向切換弁１４の第３ポート１８には、湾曲自在なガス管で不活性ガス貯蔵槽１９を接続している。
【００１９】
方向切換弁１４は、３ポート２位置弁であり、人力操作の三方コックである。この三方コックは、図３に示すように、本体２１に上下方向に貫通した弁孔に丸軸形状の弁体２２を回転可能に嵌合している。弁体２２は、外周面と下端面の間に通路を貫通し、この通路の下端開口を第１ポート１５にしている。本体２１は、内周面と外周面の間に２本の通路をそれぞれ貫通し、一方の通路の外端を第２ポート１６にし、他方の通路の外端を第３ポート１８にしている。弁体２２の上端には、レバー２３を取り付けている。作業者が手でレバー２３を回して操作する。第１ポート１５は、図３に示すように、第２ポート１６に連通して第３ポート１８を閉鎖するか、又は、第１ポート１５は第３ポート１８に連通して第２ポート１６を閉鎖する。
【００２０】
排気装置１７は、空気を吸い込んで排出する真空掃除機である。ゴミを空気と一緒に吸い取る真空掃除機を流用している。不活性ガス貯蔵槽１９は、窒素ガスを高圧に充填した弁付きの密閉タンクである。窒素ガスタンクである。
【００２１】
この保存装置を使用する場合、ファスナ５を開放して開口部４を開放し、開口部４から収納袋１に、金属材料を機械加工した金属製の機械加工部品のような物品ｂを入れる。所望数の金属製物品ｂを収納袋１に詰める。その後、図４に示すように、ファスナ５を閉鎖して開口部４を気密に閉鎖する。
【００２２】
収納袋１の管差込部６には、図２に示すように、差込管１２を収納袋１の外部から挿入し、差込管１２を収納袋１の内部に連通する。方向切換弁１４は、第１ポート１５を第２ポート１６に連通して第３ポート１８を閉鎖する。次に、排気装置１７を作動する。すると、物品ｂを収納した収納袋１内の空気は、差込管１２、方向切換弁１４の第１ポート１５と第２ポート１６及び排気装置１７を経て大気中に放出される。収納袋１内が排気される。排気によって収納袋１が収縮して収納袋１の表側片２と裏側片３が内部の物品ｂに密着したところで、排気装置１７を停止する。
【００２３】
排気の後、方向切換弁１４は、レバー２３を操作し、第１ポート１５を第３ポート１８に連通して第２ポート１６を閉鎖する。次に、不活性ガス貯蔵槽１９の弁を開放する。すると、不活性ガス貯蔵槽１９の高圧の不活性ガスは、方向切換弁１４の第３ポート１８と第１ポート１５及び差込管１２を経て収納袋１に流入する。不活性ガスの注入によって、図４に示すように、収納袋１が膨張し、収納袋１内の各物品ｂの周りに不活性ガスが充満する。収納袋１内の圧力が大気圧より少し高くなったところで、不活性ガス貯蔵槽１９の弁を閉鎖する。次に、差込管１２を差込通路９から収納袋１の外部に抜き出す。差込通路９は、閉鎖する。
【００２４】
収納袋１に入れた物品ｂは、不活性ガス中に保存される。空気中で錆びや変色などの変質が生じ易い金属製物品ｂでも、不活性ガス中では、そのような変質が生じ難い。収納袋１に保存中の物品ｂは、透明な表側片２又は裏側片３を透かして外部から目で認識することができる。
【００２５】
収納袋１内の不活性ガス中に一時保存した物品ｂを取り出すときは、ファスナ５を開放して開口部４を開放し、開口部４から収納袋１内の物品ｂを取り出す。収納袋１内の不活性ガスは、開口部４から流出する。
【００２６】
収納袋１は、再び同様にして使用する。ファスナ５付きの収納袋１は、何度も繰り返して使用する。
【００２７】
［第２例（図５〜図７参照）］
本例の物品の保存装置は、収納袋の開口部４を閉鎖する手段に、第１例におけるファスナ５に代えて、溶着を使用するものである。
【００２８】
収納袋２１は、加熱加圧で溶着可能な透明合成樹脂フイルム製であり、図５に示すように、四角形状の溶着可能な透明合成樹脂フイルムの表側片２と裏側片３を重ね合わせ、表側片２と裏側片３の周辺部の一部、左辺部と右辺部及び底辺部を溶着して袋を形成している。袋の表側片２と裏側片３の周辺部の非溶着部、上辺部は、物品を入れる開口部４にしている。
【００２９】
収納袋２１の開口部４を閉鎖するときは、表側片２と裏側片３の上辺部を重ね合わせて加熱加圧し、図６と図７に示すように、表側片２と裏側片３の上辺部の透明合成樹脂フイルムを左右方向に横断して溶着ｙする。
【００３０】
収納袋２１には、管差込部６を第１例におけるのと同様に設けている。置換装置１１は、第１例におけるのと同様である。
【００３１】
この保存装置を使用する場合、開放している開口部４から収納袋２１に、金属製の物品ｂを詰めた保管箱ｈを入れる。その後、開口部４の表側片２と裏側片３を重ね合わせて加熱加圧し、開口部４の表裏の透明合成樹脂フイルム２、３を左右方向に横断して溶着ｙし、開口部４を気密に閉鎖する。
【００３２】
開口部４を溶着ｙで閉鎖した後は、置換装置１１を第１例におけるのと同様に使用する。排気装置１７で収納袋２１内の空気を排出する。排気後、不活性ガス貯蔵槽１９から不活性ガスを収納袋２１内に充填する。
【００３３】
収納袋２１内の不活性ガス中に一時保存した物品ｂを取り出すときは、開口部４の溶着部ｙ内側位置を左右方向に横断して切断し、開口部４の溶着部ｙを切り取る。開口部４は、開放する。その開口部４から収納袋２１内の物品ｂ入りの保管箱ｈを取り出す。
【００３４】
収納袋２１は、第１例における収納袋１と比較して、ファスナ５がない分、安価になる。ファスナ５のない収納袋２１は、使い捨てにする。又は、開口部４の溶着部ｙが切り取られて上下方向が少し短くなった状態で、再び同様にして使用する。
【００３５】
［変形例］
１）上記の実施形態の第１例においては、収納袋１の開口部４を閉鎖するファスナ５は、突条部と溝条部の結合と分離を作業者が手で直接操作する形式のものであるが、突条部と溝条部の結合と分離を行うスライダが付いていて、スライダを突条部と溝条部に沿って作業者が手で移動する形式のものにする。
【００３６】
２）上記の実施形態の第１例と第２例においては、収納袋１、２１は、寸法が１種類であるが、大袋や小袋などの各種の寸法の収納袋を用意しておき、収納する物品ｂ、又は、物品ｂを詰めた保管箱ｈの寸法と数量に応じて使い分ける。
【００３７】
３）上記の実施形態の第１例と第２例においては、収納袋１、２１は、重ね合わせた合成樹脂フイルム２、３の周辺部の一部を溶着して袋を形成するに当り、２枚の合成樹脂フイルム２、３を重ね合わせているが、１枚の合成樹脂フイルムを二つ折りにして重ね合わせる。又は、１枚の筒形状の合成樹脂フイルムを扁平に折って重ね合わせる。
【図面の簡単な説明】
【図１】本発明の実施形態の第１例における物品保存装置の収納袋を示し、（ａ）は正面図、（ｂ）は（ａ）のＡ−Ａ線端面図、（ｃ）は（ａ）のＢ−Ｂ線端面図、（ｄ）は（ａ）のＣ−Ｃ線端面図。
【図２】同物品保存装置の収納袋の一部と置換装置の概略図。
【図３】同置換装置の方向切換弁、三方コックの縦断面図。
【図４】同物品保存装置の収納袋に物品を詰めて不活性ガス中に一時保存した状態を示す概略断面図。
【図５】本発明の実施形態の第２例における物品保存装置の収納袋を示し、（ａ）は正面図、（ｂ）は（ａ）のＤ−Ｄ線端面図。
【図６】同物品保存装置の収納袋に物品を詰めて不活性ガス中に一時保存した状態を示す概略正面図断面図。
【図７】図６のＥ−Ｅ線断面図。
【符号の説明】
１、２１  合成樹脂フイルム製の収納袋
２  合成樹脂フイルム、表側片
３  合成樹脂フイルム、裏側片
４  開口部
５  ファスナ
６  合成樹脂フイルム製の管差込部
７  合成樹脂フイルムの表側片
８  合成樹脂フイルムの裏側片
９  差込通路
１１  置換装置
１２  差込管
１３  ホース
１４  方向切換弁、３ポート２位置弁、人力操作の三方コック
１５  第１ポート
１６  第２ポート
１７  排気装置、真空掃除機
１８  第３ポート
１９  不活性ガス貯蔵槽、窒素ガスタンク
ｙ  開口部の溶着部、溶着
ｂ  金属製の物品、金属製の機械加工部品
ｈ  物品の保管箱
【図１】
2004182343.tif 000003
【図２】
2004182343.tif 000004
【図３】
2004182343.tif 000005
【図４】
2004182343.tif 000006
【図５】
2004182343.tif 000007
【図６】
2004182343.tif 000008
【図７】
2004182343.tif 000009